(57)【特許請求の範囲】
【請求項１】
複数の対象物（Ａ、Ｂ、Ｃ）を分類する方法であって、対象物が経路指定される経路指定点の表示を備えた表面がそれぞれの対象物にあり、さらにその方法では、各対象物が少なくとも２回のパスにおいて分類装置を通過し、
取扱中の対象物が最初のパスで装置を通過している際に、デジタルイメージが前記表示を保持している対象物の表面から生成され、前記表示の前記デジタルイメージが対象物を装置の分類出口に仕向けるために自動的に読み取られ（４）、対象物の一意の識別子も対象物のデジタルイメージから生成され（６）、前記一意の識別子が対象物のデジタルイメージおよび読み取られた結果に対応するデータベースに記録され（７）、
装置を通過する各対象物の次のパスのそれぞれの間に、前記表示を保持している対象物の取扱中のデジタルイメージが対象物の取扱中の識別子を取得するために（１２）再度生成され、取扱中の対象物を装置の分類出口に仕向けるために、装置を通過する対象物の最初のパスの間にデータベースに記録された識別子と前記取扱中の識別子との間で一致（１３）が検索され、
それからこの方法では、少なくとも１つの誤経路指定された対象物に対してデータベースに記録された情報が精査するために、該当する対象物に対して分類装置のパスの間に生成された少なくとも１つのデジタルイメージがデータベースで検索（２０）され、
前記方法は、装置を通過する各対象物の前記最後のパスの間に、分類出口での対象物の異なるグループにそれぞれ対応するデジタルイメージのグループをメモリで取得するために、グループを示すデータ項目がデータベースの前記対象物のデジタルイメージに対応して記録され、情報を精査するために誤経路指定された対象物に対して、
正しく経路指定された参照対象物のデジタルイメージをデータベースで手動で検索するステップ（２２−２８）と、
前記参照対象物のデジタルイメージに基づき、誤経路指定された対象物のデジタルイメージを識別するために、参照対象物のデジタルイメージを含むデジタルイメージのグループを手動で調べるステップ（２９−３４）とが行われることを特徴とする、方法。
【請求項２】
前記データ項目が、対象物が仕向けられるようにされた分類出口または分類出口保存トレイを示すデータ項目である、請求項１に記載された方法。
【請求項３】
複数の対象物を分類するための装置であって、対象物が経路指定される経路指定点の表示を備えた表面が対象物のそれぞれにあり、装置は、取扱中の対象物が最初のパスで装置を通過している際に、デジタルイメージが前記表示を保持している対象物の表面から生成され、前記表示の前記デジタルイメージが対象物を装置の分類出口に仕向けるために自動的に読み取られ、対象物の一意の識別子も対象物のデジタルイメージから生成され、前記一意の識別子は対象物のデジタルイメージおよび読み取られた結果に対応するデータベースに記録されるようになされ、さらに装置を通過する各対象物の次のパスのそれぞれの間に、前記表示を保持している対象物の取扱中のデジタルイメージが対象物の取扱中の識別子を取得するために再度生成され、取扱中の対象物を装置の分類出口に仕向けるために、装置を通過する対象物の最初のパスの間にデータベースに記録された識別子と前記取扱中の識別子との間で一致が検索されるようになされており、装置には、少なくとも１つの誤経路指定された対象物に対してデータベースに記録された情報を精査するために、前記誤経路指定された対象物に対してパスの間に生成された少なくとも１つのデジタルイメージをデータベースで検索するための精査システム（２０）も含み、
前記装置は、装置を通過する各対象物の前記最後のパスの間に、分類出口または分類出口トレイでの対象物の異なるグループにそれぞれ対応するデジタルイメージのグループをメモリで取得するために、グループを示すデータ項目がデータベースの前記対象物のデジタルイメージに対応して記録されるようにもなされており、精査システム（２０）は正しく経路指定された参照対象物のデジタルイメージをデータベースで手動で検索し（２２−２８）、前記参照対象物のデジタルイメージに基づき、参照対象物のデジタルイメージを含むデジタルイメージのグループをメモリで手動で調べる（２９−３４）ようになされていることを特徴とする、装置。
【発明の詳細な説明】
【技術分野】
【０００１】
本発明は、複数の対象物を分類する方法に関するもので、その方法では、対象物が経路指定される経路指定点の表示を備えた表面がそれぞれの対象物にあり、さらにその方法では、各対象物は少なくとも２回のパスを経て分類装置を通過する。取扱中の対象物が最初の分類パスで装置を通過している際に、デジタルイメージが前記表示を保持している対象物の表面から生成され、対象物が装置の分類出口に仕向けられるように前記表示の前記イメージが自動的に読み取られ、対象物の一意の識別子もイメージから取得され、前記一意の識別子は対象物のイメージおよび読み取り結果に対応するデータベースに記録される。装置を通過する各対象物の次の分類パスのそれぞれの間に、前記表示を保持している取扱中の対象物の取扱中のデジタルイメージが対象物の取扱中の識別子を生成するために再度生成され、対象物の最初の分類パスの間にデータベースに記録された識別子と前記取扱中の識別子は一致するよう検索され、その結果、取扱中の対象物は装置の分類出口に仕向けられるようにされる。最後の分類パス間に一致する場合には、取扱中の各対象物の取扱中のイメージも装置を通過する最初の分類パス間に生成された取扱中対象物の識別子に対応したデータベースに記録される。
【背景技術】
【０００２】
そのような方法では、このようにして対象物の一意の識別子は前記対象物のイメージから取得される。これはイメージ署名である。前記識別子には重量、長さ、厚さなど、対象物自体から測定される他の属性を備えることができる。
【０００３】
メールピースの分類時には、このタイプの識別子が使用され印刷によるマークなしに各メールピースが識別される。前記イメージ署名には、２つの構成要素を備えることができ、すなわち、メールピースのイメージのピクセルのグレースケールレベルの全体分布および局所分布を特徴づける「イメージ構成要素」、および非構文分析レベルでメールピースの表面での経路指定点の表示を特徴づける「郵便構成要素」である。そのようなイメージ署名の構成は、特に、仏国特許出願公開第２８４１６７３号明細書に記述されている。
【０００４】
それ自体知られている方法では、郵便分類装置は、誤作動に見舞われ、その結果、１つまたは複数のメールピースは間違った宛先に経路指定される。メールピースの間違った経路指定は、例えば、光学式文字読取装置（ＯＣＲ）による宛先郵便住所の自動読み取りシステム、ビデオ符号化ツール、もしくはイメージ署名を比較するためのシステムの誤作動の結果、または分類出口切り替えの機械的な不具合や、または例えば実際のところ装置の入口の束の部分で２枚以上のメールピースが一緒に引き出されるなどの結果である可能性がある。そのタイプの誤りが見つかるのは、配達人によるメール配達時である可能性がある。そして、誤経路指定されたメールピースは、配達される他のメールピースとは別にされ正しい配達先に宛先を変更される。それから、誤作動の原因を是正するために経路指定の誤りを分析する必要がある。
【０００５】
独国特許第１０２００６０５９５２５号明細書には、メールピースの間違った経路指定の原因を分析する目的のための情報の精査のプロセスが記述されている。そのプロセスは、最初の分類パスの間に生成された該当メールピースのイメージをデータベースから取り出すために、誤経路指定されたメールピースの表面上の宛先住所に基づき郵便分類データを評価するものである。あいにく、そのようなプロセスは、誤経路指定されたメールピースの宛先住所に対して自動的に最深評価レベルに達することが可能な場合にのみ、効果的に実施することができる。その住所が自動読み取りシステムには多少判別不可能なものであったり、一部不正確である場合には、評価レベルに達するのが不可能で、誤作動の原因を是正することはできない。
【先行技術文献】
【特許文献】
【０００６】
【特許文献１】仏国特許出願公開第２８４１６７３号明細書
【特許文献２】独国特許第１０２００６０５９５２５号明細書
【発明の概要】
【発明が解決しようとする課題】
【０００７】
本発明の目的は、手紙、雑誌、または小包など、メールピースなどの複数の対象物を分類する方法を提案するもので、上記の定義のとおりであるが、その方法は改善され、系統的に１つまたは複数の対象物の間違った経路指定の原因を識別できるようにする目的で、情報を精査するものであり、特に、イメージ署名による識別子の識別技術を使用して、分類装置でマークされることなく識別されるメールピースの情報を精査するものである。
【課題を解決するための手段】
【０００８】
この目的を達成するために、本発明では複数の対象物を分類する方法を提供しており、その方法では、対象物が経路指定される経路指定点の表示を備えた表面がそれぞれの対象物にあり、さらにその方法では、各対象物は少なくとも２回のパスを経て分類装置を通過し、
取扱中の対象物が最初の分類パスで装置を通過している際に、デジタルイメージが前記表示を保持している対象物の表面から生成され、前記表示の前記イメージは自動的に読み込まれ対象物が装置の分類出口に仕向けられるようにされ、対象物の一意の識別子もイメージから生成され、前記一意の識別子は対象物のイメージおよび読み込み結果に対応するデータベースに記録され、
また、装置を通過する各対象物の次の分類パスのそれぞれの間に、前記表示を保持している対象物の取扱中のデジタルイメージが対象物の取扱中の識別子を導き出すために再度生成され、装置を通過する対象物の最初のパスの間にデータベースに記録された識別子と前記取扱中の識別子との間で一致が検索され、その結果、取扱中の対象物は装置の分類出口に仕向けられるようにされ、
そしてこの方法では、少なくとも１つの誤経路指定された対象物に対して、装置の分類パスの間に生成された少なくとも１つのイメージがデータベースで検索され、該当する対象物に対してデータベースに記録された情報が精査され、
前記方法は、装置を通過する各対象物の前記最後の分類パスの間に、分類出口の対象物グループのそれぞれに対応するイメージの各種グループをメモリで取得するために、グループ化データ項目がデータベースの前記対象物のイメージに対応して記録され、情報を精査するために誤経路指定された対象物に対して次のステップが行われることを特徴としている：
正しく経路指定された参照対象物のイメージの対象物イメージをデータベースで検索するステップ（２２−２８）と、
前記参照対象物のイメージに基づき、誤経路指定された対象物のイメージを識別するために、参照対象物のイメージを含む対象物イメージのグループ化セットを調べるステップ（２９−３４）とである。
【０００９】
したがって、本発明の方法の基本的な考え方は、配達巡回で正しく分類され、また前記配達巡回で、誤経路指定されたメールピースに近接し、誤経路指定の原因を追求される１つまたは複数のメールピースを使用することである。例えば、最後の分類パス、すなわち、配達巡回で取得された一連のメールピースの中で誤経路指定されたメールピースに近接（前または後）したメールピースを選択することが可能である。配達巡回で誤経路指定されたメールピースに隣接するようなメールピースは誤経路指定されたメールピースと同じ機械の分類出口に仕向けられるようにされたことが考えられる。最初の段階で、分類パスで前記参照メールピースに対して生成され、データベースに記録されているイメージに戻ることは可能である。参照メールピース上の宛先住所は、前記参照メールピースが正しく経路指定されているので、最深レベルで評価可能であると考慮することができる。参照メールピースのイメージがデータベースで見つかる場合、次に、最後の分類パスで蓄積されたイメージをグループ化することによって、肉眼でイメージと誤経路指定されたメールピースの表面を比較するために、特定の提示順序でグループ化イメージをスクロールし（繰り返す方法を含む）、そのようにして、関係する情報をより深く精査するために前記誤経路指定されたメールピースのイメージを見つけることができる。
【００１０】
本発明の方法は２つまたはそれ以上の分類パスの郵便分類プロセスに適用可能であり、単一の分類機械、または例えば、出荷および入荷分類センターに配置されるような、複数の分類機械を備えるより複雑な分類装置で分類パスを実行することができる。
【００１１】
また本発明では、情報を精査するためのシステムを含む、複数の対象物を分類するための装置も提供する。
【００１２】
本発明の方法の他の特徴および利点は図面によって例示される実装形態の次の説明を読むと明らかである。
【図面の簡単な説明】
【００１３】
【図１】本発明の方法によるメールピースを分類するための最初の分類パスが行われる方法を示す高度な図である。
【図２】本発明の方法によるメールピースを分類するための最終の分類パス（最後の分類パス）が行われる方法を示す高度な図である。
【図３】メールピースの間違った経路指定の原因を識別するために、各種の分類パスの間に記録される情報が精査される段階を示すフローチャートである。
【発明を実施するための形態】
【００１４】
高度な図式表示の図１および図２では、配達巡回または「郵便配達員の巡回」の配達順序に分類する目的で、郵便分類装置１０の雑誌用入口のスタック１に配置された、この例では文字Ｐであるメールピースを示している。最初の分類パス（図１）の間および第２の分類パス（図２）の間での本発明の方法のデータ処理の主なステップを表すために、ブロックが使用されている。
【００１５】
この例では、第２の分類パスは配達巡回の準備目的でメールピースＰを分類するための最後または最終の分類パスであることが以下で考慮される。当然、本発明の方法は２回の分類パスより多い分類プロセスにも適用可能である。
【００１６】
図１を参照すると、最初の分類パスの間に、スタックのメールピースは直列に配置され、コンベア２により、カメラ３を通り過ぎて直列で移動する。メールピースＰは、原則として、端部で搬送されており、図１（さらに図２も）は分類機械のメールピース１のスタック、コンベア２、およびカメラ３を平面図で示していると見なされるべきである。
【００１７】
カメラ３ではメールピースの配達住所を保持している取扱中のメールピースＰの表面のイメージを形成する。このイメージは、４でＯＣＲまたはビデオ符号化システム（ＶＣＳ）により配達住所のデジタルイメージを自動読み取りする目的で、コンピュータにより使用可能なデジタルイメージである。
【００１８】
４での読み取り（特に、例えば１２個の数字からなる分類コード）の結果は、取扱中のメールピースが配達住所に対応した分類出口に仕向けられるようにする方法で、装置のコンベアやスイッチを５で制御するために使用される。
【００１９】
さらに、６でイメージ署名Ｖ＿Ｉｄが取扱中のメールピースのデジタルイメージから抽出され、そのイメージ署名は一意のメールピースの識別子として機能する。前記署名は取扱中のメールピースの表面に通常印刷されない、一意の番号（ＩＤタグ）で参照される。前記識別コード（シリアル番号の一種）は、取扱中の各メールピースに対して生成されるデータセットに対応し、最初の分類パスの間にデータベースで記録され、データベースＤＢ＿Ｖ＿Ｉｄに記録された前記データセットにアクセスするためのメモリアクセスキーを構成する。転送された郵便の処理などの特定の特殊な状況では、前記識別コードを印刷することが利点となる場合がある。
【００２０】
カメラ３で形成されたデジタルイメージ、および４での読み取り結果から作成された、分類コードを含むデータセットは、取扱中のメールピースのイメージ署名Ｖ＿Ｉｄに対応したデータベースＤＢ＿Ｖ＿Ｉｄに記録されている（矢印７で表示）。このデータセットは１つまたは複数のメールピースの誤経路指定を分析するために実行される場合のある後続の何らかの精査で機能する。
【００２１】
データの抽出および記録のこのプロセスは、最初の分類パスの間に各メールピースＰに対して実行され、そして後続の分類パスのそれぞれの間にも適用可能である。
【００２２】
最初の分類パスの最後で、メールピースのすべてが装置の分類出口から取り出され、次の分類パスの装置の入口に戻される。簡単にするために、次のパスの入口は、最初の分類パスで使用された分類機械１０の入口で、メールピースＰを伴う配達巡回が２回の分類パスで準備されると見なされるものとする。
【００２３】
図２では、メールピースが配達員による配達のための順序になる第２および最後の分類パス間の本発明の方法の各ステップを示している。
【００２４】
このように、メールピースＰは特定の順序で機械の入口のスタック１１に再度示されている。メールピースはカメラ３を通り過ぎで撮影されるため、コンベア２により直列に入れられ、端を揃えて搬送されている。カメラ３は取扱中のメールピースＰの取扱中のデジタルイメージを形成し、前記処理対処のイメージには配達住所が保持されており、前記デジタルイメージに基づき、取扱中のイメージ署名が１２においてステップ６と同じ方法で抽出される。
【００２５】
次に、取扱中のメールピースのこの取扱中の署名Ｖ＿Ｉｄが最初の分類パス間にデータベースに記録されたイメージ署名と１３において比較され、何らかの一致が検出される。
【００２６】
ステップ１３で一致が検出されると、署名がメモリ内で読み取り結果と関連付けられるので、システムはステップ１４で、機能しているデータベースＤＢ＿Ｖ＿Ｉｄから分類コードを取り出し、ステップ１５で取扱中のメールピースが分類出口に仕向けられるようにする。
【００２７】
図２の矢印１６は、一致する場合に、第２および最後の分類パスで形成された取扱中のメールピースのイメージと第２の分類パスで形成された取扱中の「指紋」の両方から作成されたデータセットが（署名のメモリ内で識別コードとの関連で取り出される）メールピースに割り当てられた識別コード（ＩＤタグ）に対応するデータベースＤＢ＿Ｖ＿Ｉｄに記録されることを示している。
【００２８】
本発明に従い、最後の分類パス間に、取扱中のメールピースが仕向けられるようになっている分類出口、または取扱中のメールピースが保存される分類出口トレイを示すデータ項目が取り出され、前記データ項目はメールピースの識別に対応するデータベースのメモリに記録される。
【００２９】
その結果として、対象物を分類する最後の分類パスにおいて、情報の後続の精査を可能にする目的でメールピースのためにメモリに記録されたデータセットには、少なくとも１つのメールピース識別、最初および最後の分類パスで形成されたメールピースのイメージ、最初の分類パスでの住所読み取りの結果、最初および最後の分類パスで生成されたイメージ署名、および最後の分類パスでの分類出口または分類出口の番号を示すデータ項目が含まれる。
【００３０】
ステップ１２から１６で表されるこのプロセスは各メールピースで繰り返される。
【００３１】
最後の分類パスの最後で、分類出口または分類出口トレイの番号を示すデータによって、メールピースのイメージの各種グループがデータベースに蓄積され、イメージの各グループは、分類出口または分類出口トレイのメールピースの各種グループのそれぞれのイメージに対応する。
【００３２】
このように、イメージの各グループには数十のイメージのセットが含まれる場合がある。さらに、最後の分類パスに記録された各イメージにタイムスタンプが割り当てられる場合、または分類出口での到着順序番号がそれに割り当てられる場合、イメージの各グループのメールピースのイメージを分類出口でメールピースが到着した時系列順序に配置することが可能である。この時系列順序はイメージの各グループのデータセットを配列するために使用することができる。当然、分類出口を示すデータは、以下で述べるように、情報の精査のプロセスを円滑化するために、分類機械、分類センター、および分類の日付（など）を示すデータで補完することができる。
【００３３】
当然、限定されない方法で、分類プロセス全体の間にメールピースのために記録されるデータセットには、最初の分類パスと最後の分類パスの間の中間の分類パスの間に形成されるイメージおよびイメージ署名も含めることができる。
【００３４】
図３では、本発明の方法による情報を精査するプロセスを例示するために、配達巡回での３つのメールピースＡ、Ｂ、およびＣの順序２１を示している。
【００３５】
前記順序２１では、メールピースＡおよびＣは正しく経路指定されているが、メールピースＢは配達巡回の配達箇所が宛先住所に対応していないという点で誤経路指定されていると見なされる必要がある。
【００３６】
次に、データベースＤＢ＿Ｖ＿Ｉｄに記録された情報を精査するためのシステム２０の動作を説明する。当然、システム２０はデータベースＤＢ＿Ｖ＿Ｉｄからコピーされた情報を使用することができると理解すべきである。
【００３７】
ステップ２２で、メールピースの配達担当の配達員、または他の郵便職員のだれかがメールピースＢが誤経路指定されていること（または誤った配達先指定）に気付く。したがってメールピースＢは正しい行先に向け再経路指定されるために別にされる必要がある。配達員は誤経路指定されたメールピースの宛先住所を書き留める。
【００３８】
本発明に従い、順序２１で、配達員はメールピースＢに近接した、好適には、メールピースＢの最近接の１つまたは複数のメールピース、すなわちこの例ではＡおよびＣで参照されているメールピースである、少なくともの１つの正しく経路指定されたメールピースに保持された宛先住所も書き留める。
【００３９】
例として、メールピースＡ、Ｂ、およびＣの各住所は、宛先住所が保持されているメールピースＡ、Ｂ、およびＣの表面を単に撮影することで記録することができる。当然、配達巡回の順序には複数の誤経路指定されたメールピースが互いに続いている可能性もある。そのような場合、配達員は配達巡回の順序で一連の誤経路指定されたメールピースの前方（または後方）に位置する、少なくともそのメールピースを参照メールピースとして選択する。
【００４０】
情報はデータベースＤＢ＿Ｖ＿Ｉｄ（または上部で示したような、それに関するコピー）のコンテンツにアクセスするためのシステム２０の表示画面を有する端末で精査され、前記端末はデータベースから抽出された情報の検索および表示の要求を行うようになされている。
【００４１】
例として、メールピースＢを精査するプロセスは、ステップ２４で分類コードに変換するようなされている、メールピースＡの宛先住所が端末に入力されることから開始する。郵便住所から機械分類コードへのこの変換には、郵便住所データベースＤＢ＿ａｄｄｒｅｓｓ２３が必要である場合がある。
【００４２】
ステップ２４で生成された分類コードに基づき、端末は、データベースのデータフィールドの索引付けに応じて、実際にはデータベースへの複数の連続アクセスが必要な可能性のある、データセットをデータベースから取り出すことによって要求に応じるようになされている。上記のとおり、例として、識別コードはデータベースの第１のアクセスキーを構成していると見なされる。したがって、データベースの情報の再調査は、メモリ内においてステップ２４で生成されたものと同じ分類コードに関連付けられたメールピースの識別コードをすべて取り出す目的でデータベースにアクセスすることから開始することができる。次に、ステップ２６で、データベースへの別のアクセスを介して、端末はステップ２５で検出された識別コードのそれぞれに（メモリの対応により）関連付けられた、分類出口（または保存トレイ）を示すデータ項目を取り出す。次に最後としてステップ２７で、データベースへの別のアクセスを介して、端末はステップ２５で検出された識別コードに（メモリの対応により）関連付けられた、最初の分類パスおよび最後の分類パスの各イメージを取り出す。
【００４３】
ステップ２５で検出された識別コードの番号は、メールピースＡに対して考慮される最後の分類パスの日時に関係する選択マスクによって自動的に少なくされることができ、前記マスクがメールピースＡを分類するために分類プロセスの間にデータベースＤＢ＿Ｖ＿Ｉｄに記録された対応する情報と比較することができる限り、ステップ２２で入力されることができる。
【００４４】
ステップ２８では、簡単にするために、ステップ２５で単一の識別コードが取得される場合のことが考慮される。
【００４５】
最初および第２の分類パスのイメージが端末の表示画面に表示され、オペレータは前記イメージが参照メールピースＡの表面に実際に対応することを確認することができる。
【００４６】
ステップ２５で複数の候補が取得される場合、端末は前記候補に対応する一連のメールピースのイメージが画面に表示されるようになされることができる。肉眼で確認することにより、オペレータは参照メールピースＡの表面に対応するメールピースのイメージを選択するためにスクロールを停止することができる。
【００４７】
したがってこの段階で、精査システムの端末には、画面に参照メールピースＡの表面のイメージが表示される。
【００４８】
イメージが最後の分類パスの間に蓄積されたグループにメモリ内で一緒にグループ化されているので、メールピースＡのイメージと一緒にグループ化された最後の分類パスのイメージのそれぞれが連続的に、およびオペレータの要求で１つずつ、例えば、カーソルの移動に対応して表示画面に提示されること（ステップ２９）が可能である。
【００４９】
最後の分類パスのイメージが時系列順で順序付けされている限り、カーソルによって、メモリの参照メールピースのイメージの次の、あるいは前のメールピースのイメージを表示することができる。
【００５０】
ステップ３０では、オペレータは肉眼で、参照メールピースのイメージＡの前のメールピースのイメージを確認する。
【００５１】
表示されたメールピースのイメージが誤経路指定されたメールピースＢの表面に対応しない場合、メールピースＢの間違った経路指定の原因は機械の問題であることが考えられ、その原因がブロック３１で示されている。機械の問題はメールピースＢが自動的な機械処理の間に、束で詰まったことに関連している可能性がある。積み重ねたり、引き出したりする際の問題に関連している可能性もある。最後に、各種の分類パス間でメールピースを移動する際のオペレータによる取り扱いミスによる可能性もある。オペレータは前記イメージをより詳細に、例えば、メールピースＡの輪郭の背後に横たわっている別のメールピースの輪郭の何らかの存在を際立たせるために拡大ツールを使用して、調べるためにカーソルでメールピースＡのイメージの表示に戻ることができる。この確認で何らかの結果が出ない場合、オペレータは誤経路指定の原因の分析を深化するためにカーソルでメールピースのイメージ上を通過することによって他のメールピースのイメージを調べて分析を継続することができる。
【００５２】
ステップ３０で、表示されたイメージがメールピースＢの表面に対応するようになる場合、ステップ３２で、オペレータはメールピースＢ上の実際の住所とデータベースＤＢ＿Ｖ＿Ｉｄに記録されたＯＣＲまたはビデオ符号化読み取りの結果と比較することによって精査を継続する。
【００５３】
ステップ３２で、オペレータがメールピースＢ上の実際の住所が最初の分類パスの読み取り結果に対応していることを確認する場合、そのことは誤経路指定の原因が、ブロック３２で示しているように、分類アルゴリズム自体に関連していることを意味している。
【００５４】
ステップ３２で、メールピースＢ上の実際の住所が最初の分類パスの読み取り結果に対応していない場合には、ステップ３４でオペレータは、画面でメールピースＢによる最初の分類パスで記録されたイメージを分析することによって精査を継続する。
【００５５】
ステップ３４で、最初の分類パスと最後の分類パスのメールピースＢの２つのイメージが同じメールピースに該当しない場合、そのことは、誤経路指定の原因が、ブロック３５で示しているように、イメージ署名によるメールピースの識別プロセスでの誤りに関連していることを意味している。搬送問題の中では、このことはイメージ署名の生成プロセスで、例えば、間違った署名が生成されたことの結果、あるいは署名間の一致を検出する目的でイメージ署名を比較するプロセスの結果の可能性がある。このステップ３４で、端末は、それぞれの分類パスで記録されたメールピースＢによるイメージすべてを表示できるようになされている。次に、そこから識別の誤りが発生した分類パスを推定することができる。
【００５６】
ステップ３４で、メールピースＢの２つのイメージが画面上で同じメールピースに対応して表示される場合、そのことは、誤経路指定の原因が、ブロック３６で示しているように、ＯＣＲ自動住所認識プロセスでの誤り、またはビデオ符号化オペレータによる誤りに関連していることを意味している。
【００５７】
当然、本発明の精査システムを使用すると、オペレータは、メールピースＢの表面に対応する任意のメールピースを識別するために、メールピースＡのイメージの前後に順序付けられたメールピースのイメージを確認することができる。また、メールピースＢのイメージを検索する目的で検索領域を拡大するために、メールピースＢに近接し、配達員により取得された複数の参照メールピースに基づく情報を精査することも可能である。
【図１】
0005456776.tif 000002
【図２】
0005456776.tif 000003
【図３】
0005456776.tif 000004